(57)【特許請求の範囲】
【請求項１】
外型枠と内型枠との間にコンクリートを打設して形成される壁部の打継部に埋設する打継埋め込み部材であって、
上面板、底面板および水返しを有し、
前記上面板と前記底面板が、前記外型枠に固定された打継目地棒に係合するための基部と、前記外型枠と前記内型枠の間において前記基部よりも前記内型枠側に位置づけられる先端部を形成し、
前記上面板と前記底面板は、それらの間隔が前記先端部に向け狭まって、前記打継目地棒に係合した該打継埋め込み部材の前記底面板が前記外型枠側に向け下降する斜面を形成するとともに、先端部において接続され、
前記上面板上には、前記先端部の近傍に前記水返しが位置づけられ、かつ第１の通水孔が前記水返しよりも基部側に穿設され、
前記第１の通水孔から前記上面板と前記底面板の間の空間に流下した浸水を前記空間からさらに流下させる第２の通水孔が前記底面板に穿設されていること
を特徴とする打継埋め込み部材。
【請求項２】
請求項１に記載の打継埋め込み部材において、前記第１の通水孔の上方を覆う覆い部をさらに有し、この覆い部と前記上面板との間に間隙が形成されていることを特徴とする打継埋め込み部材。
【請求項３】
請求項１または２に記載の打継埋め込み部材において、前記底面板から延出するアンカー部をさらに有し、このアンカー部が前記第２の通水孔よりも前記先端部側に位置づけられていることを特徴とする打継埋め込み部材。
【請求項４】
外型枠に固定された打継目地棒に打継埋め込み部材を係合し、内型枠と前記打継埋め込み部材との間に水平スリットを位置づけて、コンクリートを打設して形成される壁部の打継部の構造において、前記打継埋め込み部材が請求項１ないし３に記載のいずれかの打継埋め込み部材であることを特徴とする打継部の構造。
【発明の詳細な説明】
【技術分野】
【０００１】
本発明は、コンクリート建築物における打継部に耐震スリットを埋設するための打継埋め込み部材、および打継部の構造に関するものである。
【背景技術】
【０００２】
一般にコンクリート建築物は、建物自体の強度を柱および梁などで確保するようになっており、その壁部は、柱および梁などの鉄骨の配置を考慮して複数の領域に分割され、領域ごとにコンクリートを打設して形成されるようになっている。こうした各壁部の境界部分には水平および垂直方向の打継部が形成されて、地震などによる力が柱および梁などを介して打継部とその近傍の壁部に剪断力等として作用することになるが、この剪断力等を打継部に埋設した耐震スリットで吸収・緩和して、壁部にひび割れ等が生じないようにしている。しかし、水平方向の打継部では、雨水等が浸水した場合、これを排水して室内側に雨水等が浸透しないようにするために、図５に示すように、下層階壁部外面側に向けた下り斜面を形成する打継埋め込み部材を埋め込むなどの対策が必要である（例えば特許文献１）。なお図５中、１は打継埋め込み部材、２は上層階壁部、３は下層階壁部、４は下層階壁部外面に向けた斜面、５はコーキング部である。
【特許文献１】特許第３１９３９０８号公報
【発明の開示】
【発明が解決しようとする課題】
【０００３】
しかしながら、降雨量が増大した近年、境界部分等から浸水する雨水等を、下層階壁部外面側に向けた下り斜面で排水するだけでは、浸水が水平耐震スリットに浸透して水平耐震スリットや壁部を劣化させることも考えられ、さらには室内側へ浸透することも考えられる。そこで本発明は、水平方向の打継部において、浸水をさらに良好に排水することができる打継埋め込み部材および打継部の構造を実現することを目的とするものである。
【課題を解決するための手段】
【０００４】
上記課題を解決するため、本発明に係る打継埋め込み部材（請求項１）は、上面板、底面板および水返しを有し、上面板と底面板は、外型枠に固定された打継目地棒に係合するための基部と、内外型枠内において基部よりも内型枠側に位置づけられる先端部を形成し、それらの間隔が先端部に向け狭まるとともに先端部において接続されている。したがって、打継目地棒に係合した該打継埋め込み部材の底面板と下層階壁部の境界には、外型枠側（外型枠を取り外した後においては、下層階壁部外面側）に向け下降する斜面が形成される。また上面板には、先端部の近傍に水返しが位置づけられ、かつ水返しの基部側に第１の通水孔が穿設されており、さらに底面板には、第２の通水孔が穿設されている。したがって、打継部に浸水した雨水等や、壁部外面から壁部に浸透して打継部の上面板へと流下した雨水等は、水返しで阻止されて水平スリット側および室内側に浸透することができない。こうして浸透が阻止された雨水等は、第１の通水孔を経て上面板と底面板の間の空間に流下し、さらに底面板に形成された第２の通水孔から排水される。かくして排水された浸水は、底面板と下層階壁部との境界を下層階壁部外面に向け流下して壁部から排水される。
【０００５】
さらに第１の通水孔の上方を覆う覆い部を有し、この覆い部と上面板との間に間隙が形成されている打継埋め込み部材（請求項２）では、第１の通水孔がコンクリートの打設で塞がれることがなく、浸水は、間隙を通過して第１の通水孔から流下することができる。
第２の通水孔よりも先端部側に位置づけられ底面板から延出するアンカー部をさらに有する打継埋め込み部材（請求項３）では、アンカー部が下層階壁部コンクリートに埋設されて下層階壁部に対し確実に位置づけられるとともに、第２の通水孔から底面板と下層階壁部との境界に排水された雨水等が室内側に浸透することをアンカー部で阻止して、雨水等をより確実に壁部外面に向け排水することができる。
【０００６】
外型枠に固定された打継目地棒に上記いずれかの打継埋め込み部材を係合し、内型枠と打継埋め込み部材との間に水平スリットを位置づけて、コンクリートを型枠内に打設して壁部を形成する壁部の打継部の構造によれば、打継部へ浸水した雨水等や、壁部へ浸透して打継埋め込み部材の上面板へと流下した雨水等を水返しで阻止して、水平スリットおよび室内側に浸透することを防ぐことができ、また浸水を打継埋め込み部材の底面板と下層階壁部との境界に導いて、下層階壁部外面に向け排水することができる。
【発明の効果】
【０００７】
以上のように本発明にかかる打継埋め込み部材および壁部の打継部の構造よれば、打継部へ浸水した雨水等や、壁部外面から壁部へ浸透して打継部の上面板へと流下した雨水等を壁部外面へとより良好に排水することができる。したがって水平スリット側および室内側への浸水の浸透を防ぐとともに、水平スリットはもとより壁部の耐久性を高めることができる。
【発明を実施するための最良の形態】
【０００８】
以下、図面を参照し本発明にかかる打継埋め込み部材および打継部の構造を説明する。
【実施例１】
【０００９】
本発明にかかる打継埋め込み部材の一実施例を、図１ないし図３を用いて説明する。ここで、図１は、打継埋め込み部材１０ａの断面概略構成を示すものであり、図２は、打継埋め込み部材１０ａを水平スリットとともに打継部に埋め込む工程および打継部の概略断面構造を説明するための図であり、そして図３は、打継埋め込み部材１０ａ近傍の打継部の概略断面構造を示す図である。
【００１０】
（打継埋め込み部材）
図１に示すように、打継埋め込み部材１０ａは、上面板１１、底面板１２および水返し１３を有し、例えば塩化ビニールなどの樹脂で形成されている。上面板１１および底面板１２は、リブ１４ａ〜１４ｃで連結され、基部１５と先端部１６を形成している。先端部１６には、水返し１３が設けられ、水返し１３の近傍には、打継埋め込み部材１０ａの内部の空間１７に連通する第１の通水孔１８ａが設けられ、さらに空間１７から打継埋め込み部材１０ａの外部に連通する第２の通水孔１８ｂが底面板１２に設けられている。打継埋め込み部材１０ａは、外型枠２０に固定された打継目地棒２１に基部１５で係合することができる。先端部１６は、外型枠２０と内型枠２２の間において基部１５よりも内型枠２２側に位置づけられる（図２参照）。
【００１１】
さらに詳しく打継埋め込み部材１０ａの構造等を説明すると、上面板１１と底面板１２は、それらの間隔が先端部１６に向け狭まっており、打継目地棒２１に取り付けられた打継埋め込み部材１０ａは、上面板１１が略水平に位置づけられ、底面板１２が外型枠２０側に向け下降するように位置づけられる。ここで打継埋め込み部材１０ａの寸法を例示すると、上面板１１の、図１中における水平方向の長さ（打継埋め込み部材１０ａの幅）が４５ｍｍであり、上面板１１および底面板１２の間隔が、基部１５の端部１５ａにおいて２２ｍｍであり、先端部１６の端部１６ａにおいて１０ｍｍである。なお打継埋め込み部材１０ａの長さの定尺は２ｍである。
【００１２】
上面板１１および底面板１２は、基部１５の端部１５ａから約５ｍｍの位置においてリブ１４ａで接続され、先端部１６の端部１６ａにおいてリブ１４ｂで接続され、そしてリブ１４ｂから約１８ｍｍの位置においてリブ１４ｃで接続されている。かくして基部１５には、上面板１１、底面板１２およびリブ１４ａで基部１５の凹部１５ｂが形成され、そして先端部１６側には、上面板１１、底面板１２、リブ１４ｂおよびリブ１４ｃで仕切られる空間１７が形成される。なお上面板１１および底面板１２は、基部１５の端部１５ａにおいて、リブ１４ｂを介することなく直接接続されるものであってもよい。
【００１３】
ところで、リブ１４ｃが接続される上面板１１および底面板１２の各領域は、段差部１１ｄおよび１２ｄを形成している。ここで、段差部１１ｄから先端部１６側の上面板１１の外面は図１中の１１ａであり、基部１５側の上面板１１の外面は図１中の１１ｂであり、外面１１ｂに相対する内面は図１中１１ｃである。同様に段差部１２ｄから先端部１６側の底面板１２の外面は図１中の１２ａであり、基部１５側の底面板１２の外面は図１中の１２ｂであり、外面１２ｂに相対する内面は図１中１２ｃである。そして、上面板１１の外面１１ａは内面１１ｃと同一平面上に位置づけられ、底面板１２の外面１２ａは内面１２ｃと同一平面上に位置づけられている。なお上面板１１および底面板１２は、段差部１１ｄおよび段差１２ｄを有さないものであってもよい。
【００１４】
端部１６ａから基部１５側に約５ｍｍ寄った上面板１１の外面１１ａには、高さ約１５ｍｍの水返し１３が打継埋め込み部材１０ａの長さ方向にわたって立設している。水返し１３よりも、基部１５側に若干（３ｍｍ）寄った位置には、上面板１１の外面１１ａと空間１７を連通する第１の通水孔１８ａ（孔径２〜３ｍｍ）が穿設されている。また底面板１２には、空間１７と底面板１２の外面１２ａを連通する第２の通水孔１８ｂが穿設されている。かかる第１の通水孔１８ａおよび第２の通水孔１８ｂは、何れも打継埋め込み部材１０ａの長さ方向にわたって間隔（６〜１０ｍｍ）を隔てて多数穿設されている。
【００１５】
ところで、打継目地棒２１の断面形状は、打継埋め込み部材１０ａの凹部１５ｂに係合する側が２０ｍｍ、外型枠２０に固定される側が２５ｍｍ、図１中水平方向（厚さ）が２０ｍｍで、断面台形形状を有している。かかる打継目地棒２１は、図１中上側になる面２１ａが外型枠２０と直交するように外型枠２０に取り付けられて、図１中下側になる面２１ｂが外型枠２０に向け下降する斜面を形成する。したがって、打継目地棒２１に係合した打継埋め込み部材１０ａでは、上面板１１の外面１１ａが打継目地棒２１の面２１ａと同一平面上に位置づけられることになる。
【００１６】
こうして打継埋め込み部材１０ａは、基部１５の凹部１５ｂで打継目地棒２１に係合し、先端部１６には水返し１３が立設し、さらに上面板１１の外面１１ａから空間１７に連通する第１の通水孔１８ａと、空間１７から底面板１２の外部下方に連通する第２の通水孔１８ｂが設けられている。そして、底面板１２の外面１２ａおよび１２ｂは、外型枠２０に向け下降する斜面を形成することになる。
【００１７】
（打継部への打継埋め込み部材等の埋め込み）
次に継埋め込み部材１０ａ等の埋め込み工程等を、図２に基づき説明する。まず外型枠２０を設置したのち、外型枠内面２０ａに打継目地棒２１を釘などで固定したのち、打継埋め込み部材１０ａを打継目地棒２１に係合し（図２（ａ））、さらに打継埋め込み部材１０ａの先端部１６側から無頭釘を打ち込んで、打継埋め込み部材１０ａを打継目地棒２１に固定し、その後内型枠２２を所定の位置に位置づける。
【００１８】
つぎに、打継埋め込み部材１０ａの上面板１１の外面１１ａとコンクリートの上面が一致するように、型枠内にコンクリートを打設して下層階壁部３０を形成する（図２（ｂ））。そうすると下層階壁部３０の上部には、打継目地棒２１および打継埋め込み部材１０ａで覆われた部分と、打継埋め込み部材１０ａの先端部１６と内型枠内面２２ａとの間に露出した上面３０ｂを有する部分が形成される。なお図２（ｂ）中の３１は上層階壁部４０および下層階壁部３０に埋め込まれる鉄筋である。また下層階壁部３０は、図２（ｂ）および（ｃ）中において、その右側が床のコンクリート部分等と接することになる（下層階壁部３０の上面３０ｂが床表面と同一レベルになる）。
【００１９】
下層階壁部３０のコンクリートが硬化した後、下層階壁部３０の上面３０ｂの上に水平スリット５０を位置づける（図２（ｃ））。ここで水平スリット５０は、例えば幅方向中央部に伸縮自在の耐火部材５０ｄを有して、打継埋め込み部材１０ａの水返し１３と内型枠内面２２ａとの間隔Ｗに適合するものであり、間隔Ｗよりも若干広い幅を有している。したがって水平スリット５０は、一の側面５０ａが打継埋め込み部材１０ａの水返し１３と接し、底面５０ｂが下層階壁部３０の上面３０ｂに接し（底面５０ｂの一部は打継埋め込み部材１０ａの上面板１１に接する）、他の側面５０ｃが内型枠内面２２ａと接して、下層階壁部３０の上面３０ｂを覆うことになる。なお水平スリット５０は、その幅が上層階壁部４０の種々の厚さに適合できるよう８０〜５００ｍｍの範囲で製作され、１５〜３５ｍｍの厚さを有している。
【００２０】
こうして水平スリット５０を位置づけたのち、下層階壁部３０の上方に上層階壁部４０を形成するためのコンクリートを打設する。かくして下層階壁部３０と上層階壁部４０の間に水平スリット５０が位置づけられる。上層階壁部４０のコンクリートが硬化した後、外型枠２０、打継目地棒２１および内型枠２２を取り外す。なお、打継埋め込み部材１０ａを打継目地棒２１に固定する際に用いた無頭釘は、外型枠２０および打継目地棒２１とともに取り外される。その後、図３に示すように、打継目地棒２１があった部分にコーキングを充填する（コーキング部５１を形成する）。こうして下層階壁部３０と上層階壁部４０の間に形成された打継部６０では、打継部６０に作用する剪断力等が水平スリット５０によって緩和される。
【００２１】
（浸水の排水）
ところで豪雨などの場合には、上層階壁部外面４０ａから打継部６０に浸水した雨水等が、打継埋め込み部材１０ａの上面板１１の外面１１ｂおよび１１ａ上を室内側に向けて浸透することが否めず、また上層階壁部外面４０ａから上層階壁部４０に浸水した雨水等が打継埋め込み部材１０ａへと浸透流下することが否めない。これらの浸水は、合流して上面板１１の外面１１ｂおよび１１ａ上を水平スリット５０（室内側）へと浸透しようとするが、水返し１３で阻止される。水返し１３の頂部１３ａは、基部１５側に向け折り返されて、水平スリット５０への浸透をより確実に阻止する（図３）。
【００２２】
こうして浸透を阻止された浸水は、第１の通水孔１８ａから打継埋め込み部材１０ａの内部の空間１７へと流下する。空間１７へと流下した浸水は、さらに第２の通水孔１８ｂから打継埋め込み部材１０ａの外部へと排水される。ここで、底面板１２と下層階壁部３０との境界は、下層階壁部３０の外面に向け下降する斜面を形成しているから、第２の通水孔１８ｂから排水された浸水は、底面板１２と下層階壁部３０との境界を下層階壁部外面３０ａに向け流下して、コーキング部５１と下層階壁部３０との境界に達し、該境界近傍の下層階壁部外面３０ａから排水されあるいは大気中に蒸発する。なお第１の通水孔１８ａおよび第２の通水孔１８ｂは、打継埋め込み部材１０ａの上面板１１に流下等した浸水を空間１７を介して底面板１２と下層階壁部３０との境界へと排水できるものであればよく、例えば水返し１３の近傍から基部１５側によった位置に穿設されたものであってもよいし、それぞれ打継埋め込み部材１０ａの幅方向に複数位置づけられたものであってもよい。
【実施例２】
【００２３】
つぎに本発明にかかる打継埋め込み部材の他の実施例（実施例２）を、図４を用いて説明する。ここで図４は、打継埋め込み部材１０ｂの断面概略構成を示すものであり、実施例１と同様の機能を有する構成要素には、同一の符号を附してそれらの説明を省略する。
打継埋め込み部材１０ｂでは、第１の通水孔１８ａの上方が覆い部１９で覆われており、また第２の通水孔１８ｂと端部１６ａとの間からアンカー部１３’が延出している。
【００２４】
覆い部１９は、水返し１３から基部１５側に向け、庇のように張り出して第１の通水孔１８ａの上方を覆っている。覆い部１９の先端部１９ａは、打継埋め込み部材１０ｂの長さ方向のすべての領域にわたって上面板１１の外面１１ａとの間に間隙１９ｂを形成している。また覆い部１９は、打継埋め込み部材１０ｂを打継部６０に埋め込む際のコンクリートの圧力に抗して、間隙１９ｂを維持することができるようになっている。したがって浸水は、間隙１９ｂを通過して第１の通水孔１８ａから空間１７へと流下することができる。ここで覆い部１９は、第１の通水孔１８ａの上方を覆い、且つコンクリートの圧力に抗して間隙１９ｂを維持できるものであれば水返し１３から張り出したものでなくてもよい。
【００２５】
アンカー部１３’は、約１０ｍｍの長さを有し、下層階壁部３０のコンクリートに埋設されるようになっている。したがって、アンカー部１３’は、打継埋め込み部材１０ｂを下層階壁部３０に対し確実に位置づけることができる。またアンカー部１３’は、第２の通水孔１８ｂから排水された雨水等が室内側へ浸透することを阻止して、より確実に下層階壁部外面３０ａに向け流下させることができる。ここで打継埋め込み部材１０ｂは、覆い部１９およびアンカー部１３’の何れか一方を有するものであってもよい。
【００２６】
なお本発明は、各実施例に限定されるものではなく、その趣旨を逸脱しない範囲で適宜変形して実施することができる。
【図面の簡単な説明】
【００２７】
【図１】本発明の一実施例（実施例１）に係る打継埋め込み部材の断面概略構成を示す図である。
【図２】図１の打継埋め込み部材を水平スリットとともに打継部に埋め込む工程および概略断面構造を説明するための図である。
【図３】図１に示す打継埋め込み部材を埋め込んだ場合における、打継埋め込み部材近傍の打継部の概略断面構造を示す図である。
【図４】本発明の他の実施例（実施例２）に係る打継埋め込み部材の断面概略構成を示す図である。
【図５】従来の打継埋め込み部材および打継部の断面概略構造を示す図である。
【符号の説明】
【００２８】
１０ａ、１０ｂ  打継埋め込み部材
１１  上面板
１２  底面板
１３  水返し
１３’  アンカー部
１５  基部
１６  先端部
１７  空間
１８ａ  第１の通水孔
１８ｂ  第２の通水孔
１９  覆い部
２０  外型枠
２１  打継目地棒
２２  内型枠
３０  下層階壁部
４０  上層階壁部
５０  水平スリット
６０  打継部
【図１】
0005000422.tif 000002
【図２】
0005000422.tif 000003
【図３】
0005000422.tif 000004
【図４】
0005000422.tif 000005
【図５】
0005000422.tif 000006